(57)【要約】【課題】会員カードのような認証用の記憶媒体を所持しているだけで、会員が遊技を実行できるようにする。【解決手段】玉貸機１は金額価値を有するＩＣスティックを発行する処理と受け付けたＩＣスティックの金額価値に応じて隣接するパチンコ機２へ玉貸する処理とを実行する。玉貸システムは、会員カードと、各パチンコ機２の前方の空間に会員カードの内蔵回路との交信が可能な交信領域Ｓを形成するアンテナ７１，７２と、交信領域Ｓ内の会員カードと交信して会員コードを取得する制御装置とを含んでいる。玉貸機１は、ＩＣスティックの発行要求操作があると、発行するＩＣスティックに会員コードを書き込み、玉貸要求操作があると、受け付けたＩＣスティックより読み出された会員コードと通信により取得した会員コードとを照合し、会員コードの一致を条件として玉貸を実行する。【選択図】図１
2008018033.tif 000002
【特許請求の範囲】
【請求項１】
複数台の遊技機と、各遊技機に隣接して設けられる複数台の貸出機とを含み、各貸出機は、金額価値を有する遊技用の記憶媒体を発行する処理を実行する発行手段と、受け付けた遊技用の記憶媒体の金額価値に応じて隣接する特定の遊技機へ遊技媒体を貸し出す処理を実行する貸出手段とを備えた遊技媒体貸出システムであって、
各会員に付与された個人認証のための会員コードを記憶する回路を内蔵する認証用の記憶媒体と、各遊技機の前方の空間に認証用の記憶媒体が内蔵する回路との交信が可能な交信領域をそれぞれ形成する通信手段と、前記交信領域内に存在する認証用の記憶媒体と前記通信手段との交信を介して前記会員コードを取得する通信制御手段とをさらに含んでおり、
前記貸出機の発行手段は、遊技用の記憶媒体の発行要求操作があったとき、発行する遊技用の記憶媒体に前記通信制御手段で取得した会員コードを書き込む処理を実行し、
前記貸出機の貸出手段は、遊技媒体の貸出要求操作があったとき、受け付けた遊技用の記憶媒体より読み出された会員コードと前記通信制御手段が認証用の記憶媒体より取得した会員コードとを照合する処理を実行し、会員コードが一致することを条件として遊技媒体の貸出を実行するようにした遊技媒体貸出システム。
【請求項２】
前記通信手段と認証用の記憶媒体とは、互いに電磁結合するアンテナをそれぞれ含んでおり、認証用の記憶媒体が記憶している会員コードは、前記電磁結合によって形成される回路を介して通信制御手段により読み取られるものである請求項１に記載された遊技媒体貸出システム。
【請求項３】
前記貸出機の貸出手段は、前記通信制御手段が認証用の記憶媒体より会員コードを取得できなかったとき、受け付けられた遊技用の記憶媒体より読み出された会員コードと一致する会員コードがデータ入力手段より入力されることを条件として遊技媒体の貸出を実行するようにした請求項１に記載された遊技媒体貸出システム。
【請求項４】
複数台の遊技機と、各遊技機に隣接して設けられる複数台の貸出機と、精算機とを含み、各貸出機は、金額価値を有する遊技用の記憶媒体を発行する処理を実行する発行手段と、受け付けた遊技用の記憶媒体の金額価値に応じて隣接する特定の遊技機へ遊技媒体を貸し出す処理を実行する貸出手段とを備え、前記精算機は、受け付けた遊技用の記憶媒体の金額価値を精算する処理を実行する精算手段を備えた遊技媒体貸出システムであって、
各会員に付与された個人認証のための会員コードを記憶する回路を内蔵する認証用の記憶媒体と、各遊技機および精算機の前方の空間に認証用の記憶媒体が内蔵する回路との交信が可能な交信領域をそれぞれ形成する通信手段と、前記交信領域内に存在する認証用の記憶媒体と前記通信手段との交信を介して前記会員コードを取得する通信制御手段とをさらに含んでおり、
前記貸出機の発行手段は、遊技用の記憶媒体の発行要求操作があったとき、発行する遊技用の記憶媒体に前記通信制御手段で取得した会員コードを書き込む処理を実行し、
前記貸出機の貸出手段は、遊技媒体の貸出要求操作があったとき、受け付けた遊技用の記憶媒体より読み出された会員コードと前記通信制御手段が認証用の記憶媒体より取得した会員コードとを照合する処理を実行し、会員コードが一致することを条件として遊技媒体の貸出を実行するようにし、
前記精算機の精算手段は、遊技用の記憶媒体の精算要求操作があったとき、受け付けた遊技用の記憶媒体より読み出された会員コードと前記通信制御手段が認証用の記憶媒体より取得した会員コードとを照合する処理を実行し、会員コードが一致することを条件として遊技用の記憶媒体の精算を実行するようにした遊技媒体貸出システム。
【発明の詳細な説明】
【技術分野】
【０００１】
この発明は、パチンコホールなどの遊技場において、パチンコ玉や遊技用メダルのような遊技媒体の貸出に導入される遊技媒体貸出システムに関するもので、特にこの発明は、「台間機」と呼ばれる遊技媒体の貸出機により隣接する特定の遊技機へ遊技媒体を貸し出すための遊技媒体貸出システムに関する。
【背景技術】
【０００２】
近年のパチンコホールでは、遊技用の記憶媒体を利用した遊技媒体貸出システムが導入されている。遊技用の記憶媒体として、磁気カードなど（以下、単に「カード」という。）が一般に用いられている。この貸出システムはパチンコ機やスロットマシンのような遊技機に隣接して「台間機」や「カードユニット」などと呼ばれる遊技媒体の貸出機を配置して構成されている。遊技機と貸出機との間は相互に信号のやり取りが可能なように電気的に接続されている。貸出機は金額価値を有するカードを受け付けたとき貸出処理が可能となる。この状態下で遊技者が貸出要求操作を行うと、隣接する遊技機へ遊技媒体の貸出を要求する貸出要求信号が送られる。遊技機では貸出要求信号を受けて遊技媒体の貸出処理が実行される。例えば遊技機がパチンコ機であれば受け皿にパチンコ玉が放出される。
【０００３】
この種の貸出機として、カードによる遊技媒体の貸出機能に加えて、貨幣を受け付けてカードを発行する発券機能を備えたものがある。この貸出機では、機械内部に金額価値がゼロのカードをストックするためのカード収容部が設けられている。
貨幣が受け付けられると、カード収容部にストックされている１枚のカードが搬出され、そのカードに金額価値データを含む情報（以下「カード情報」という。）が書き込まれてカード受付口まで搬送される。その後、遊技者がカード投入操作を行うと、カードが所定位置まで取り込まれてカード情報が読み取られる。遊技者が貸出要求操作を行うと、遊技機に貸出要求信号が出され、カードの金額価値より一定の金額価値が引き落とされる。遊技機の側では、貸出要求信号を受けて、引き落とされた金額価値に相当する個数の遊技媒体が放出される。
【０００４】
前記カード受付口は他の貸出機で発券されたカードを受け付けることも可能となっている。そのカードがカード受付口に挿入されると、カードは所定位置に取り込まれてカード情報が読み取られる。遊技者が貸出要求操作を行うと、遊技機に貸出要求信号が出され、カードの金額価値より所定の金額価値が引き落とされる。カードの金額価値がゼロになると、カード収容部に１枚のカードがストックされていれば、金額価値がゼロの空のカードはカード受付口へ搬出される。カード収容部に１枚のカードがストックされていなければ、空のカードはカード収容部に取り込まれる。
【０００５】
ところで、最近の遊技媒体貸出システムでは、遊技用の記憶媒体として、従来のカードに代えて、アンテナを含むＩＣチップが内蔵されたＩＣスティックを用いたものが提案されている。また、一方で、不特定人を対象として付与される遊技用の記憶媒体（ＩＣスティック）だけでなく、特定人（会員）を対象として付与される会員カードが発行され、その会員カードを遊技媒体の貸出に利用できるようにした遊技媒体の貸出機も提案されている（例えば、特許文献１参照）。
【０００６】
【特許文献１】特開２００５−７３９４５号公報
【０００７】
この会員カードが導入された貸出システムは、顧客の固定化と新たな客の取込みとを狙ったものであり、例えば、会員カードに遊技媒体の獲得数（例えば、パチンコ玉の持玉数）を記憶させて利用させる機能を持たせるなどして、会員に特別の便宜をはかっている。この種の貸出機では、遊技用の記憶媒体を受け付ける受付口の他に、会員カードを受け付ける会員カード受付口が別個に設けられている。
【発明の開示】
【発明が解決しようとする課題】
【０００８】
しかしながら、上記した貸出システムでは、会員は遊技の開始に際して、会員カードを所持品の中から取り出して会員カード受付口へ挿入する必要がある。また、遊技終了後は会員カード受付口より会員カードを抜き取る必要がある。これらの操作は会員にとって煩雑である。また、遊技中に席を離れたり、遊技終了後に会員カードを抜き忘れたりすると、会員カードが他人に盗まれて悪用されるおそれがある。さらに、会員カード受付口に対して会員カードを頻繁に出し入れすることで、会員カードが損傷し易く、また汚れ易いという問題もある。一方、貸出機は、会員カードを受け付ける受付口を設ける必要があるため、構造が複雑化し、コスト高の要因にもなる。
【０００９】
この発明は、上記の問題に着目してなされたもので、会員カード受付口に対する会員カードの挿脱を必要とせず、会員カードのような認証用の記憶媒体を所持しているだけで、会員が遊技を実行できるようにすることにより、認証用の記憶媒体の盗用や損傷などを防止し、貸出機に認証用の記憶媒体の受付口を設ける必要がない遊技媒体貸出システムを提供することを目的とする。
【課題を解決するための手段】
【００１０】
この発明による遊技媒体貸出システムは、複数台の遊技機と、各遊技機に隣接して設けられる複数台の貸出機とを含むものである。各貸出機は、金額価値を有する遊技用の記憶媒体を発行する処理を実行する発行手段と、受け付けた遊技用の記憶媒体の金額価値に応じて隣接する特定の遊技機へ遊技媒体を貸し出す処理を実行する貸出手段とを備えている。
この発明による遊技媒体貸出システムは、各会員に付与された個人認証のための会員コードを記憶する回路を内蔵する認証用の記憶媒体と、各遊技機の前方の空間に認証用の記憶媒体が内蔵する回路との交信が可能な交信領域をそれぞれ形成する通信手段と、前記交信領域内に存在する認証用の記憶媒体と前記通信手段との交信を介して前記会員コードを取得する通信制御手段とをさらに含んでいる。
前記貸出機の発行手段は、遊技用の記憶媒体の発行要求操作があったとき、発行する遊技用の記憶媒体に前記通信制御手段で取得した会員コードを書き込む処理を実行する。
前記貸出機の貸出手段は、遊技媒体の貸出要求操作があったとき、受け付けた遊技用の記憶媒体より読み出された会員コードと前記通信制御手段が認証用の記憶媒体より取得した会員コードとを照合する処理を実行し、会員コードが一致することを条件として遊技媒体の貸出を実行する。
【００１１】
上記した構成の遊技媒体貸出システムにおいて、各遊技機の前方の空間は認証用の記憶媒体が内蔵する回路との交信が可能な交信領域になっており、認証用の記憶媒体を所持する遊技者（会員）が、遊技を行うに際して、遊技機の前に腰を掛けると、前記交信領域内に存在する認証用の記憶媒体と前記通信手段とが交信し、その交信を介して通信制御手段は会員コードを取得する。
その遊技者が遊技用の記憶媒体の発行を受けるために、貨幣を投入するなどの発行要求操作を行うと、貸出機の発行手段は、発行する遊技用の記憶媒体に通信制御手段で取得した会員コードを書き込む処理を実行する。これにより会員コードが記憶されかつ投入金額に応じた金額価値が付与された遊技用の記憶媒体が発行される。
一方、遊技者が、遊技用の記憶媒体を用いて遊技媒体の貸出要求操作を行うと、貸出機に受け付けられた遊技用の記憶媒体より会員コードが読み出されるとともに、前記通信制御手段が認証用の記憶媒体より会員コードを取得する。貸出機の貸出手段は、読み出された会員コードと取得した会員コードとを照合する処理を実行し、会員コードが一致するとき、遊技媒体の貸出が実行される。
【００１２】
つぎに、認証用の記憶媒体を所持していない一般の遊技者が遊技機の前に腰を掛けたとき、交信領域内に認証用の記憶媒体が存在しないので、通信制御手段は会員コードを取得できない。この場合には、遊技用の記憶媒体の発行要求操作に対しては、会員コードが記憶されていない遊技用の記憶媒体を発行するように構成することができる。また、会員コードが記憶されていない遊技用の記憶媒体による遊技媒体の貸出要求操作に対しては、会員コードは読み出されず、また、通信制御手段も会員コードを取得できないので、この場合は遊技媒体の貸出を許可するように構成することができる。
【００１３】
つぎに、認証用の記憶媒体を所持していない一般の遊技者が会員コードを記憶している遊技用の記憶媒体を用いて遊技媒体の貸出要求操作を行うと、貸出機に受け付けられた遊技用の記憶媒体より会員コードが読み出されるものの、前記通信制御手段は認証用の記憶媒体より会員コードを取得できないので、会員コードの照合は不能もしくは不一致となり、この場合は遊技媒体の貸出は実行されない。
また、認証用の記憶媒体を所持している会員が他の会員の会員コードを記憶している遊技用の記憶媒体を用いて遊技媒体の貸出要求操作を行った場合は、遊技用の記憶媒体より読み出された会員コードと前記通信制御手段が認証用の記憶媒体より取得した会員コードとは不一致となり、この場合も遊技媒体の貸出は実行されない。
【００１４】
認証用の記憶媒体を忘れてきた会員が自己の会員コードを記憶している遊技用の記憶媒体を用いて遊技媒体の貸出要求操作を行うこともあり得る。このことを想定して、受け付けられた遊技用の記憶媒体より読み出された会員コードと一致する会員コードがデータ入力手段より入力されたことを条件として、遊技媒体の貸出を実行するように構成することもできる。なお、前記データ入力手段は、例えばテンキーなどを有する簡易なキーボードを貸出機に設けておくことにより実現できる。
【００１５】
この発明の上記した構成において、遊技用の記憶媒体や認証用の記憶媒体は、典型的には、磁気カードやＩＣカードのようなカード状の記憶媒体であるが、必ずしもカード状である必要はなく、スティック状やメダル状であってもよく、その形態は問わない。
また、発行手段や貸出手段の制御主体や通信制御手段は専用のハードウェア回路によっても実現できるし、プログラムされたコンピュータによって実現することもできる。
【００１６】
この発明の好ましい実施態様においては、前記通信手段と認証用の記憶媒体とは、互いに電磁結合するアンテナをそれぞれ含んでおり、認証用の記憶媒体が記憶している会員コードは前記電磁結合によって形成される回路を介して通信制御手段により読み取られるものである。
さらに、認証用の記憶媒体は、アンテナを構成するコイルを有し、そのコイルは通信手段からの電波によって内蔵回路駆動用の電圧を発生するものである。
【００１７】
この発明による他の遊技媒体貸出システムは、複数台の遊技機と、各遊技機に隣接して設けられる複数台の貸出機とに加えて、精算機を含むものである。
この精算機は、受け付けた遊技用の記憶媒体の金額価値を精算する処理を実行する精算手段を備えており、その精算機の精算手段は、遊技用の記憶媒体の精算要求操作があったとき、受け付けた遊技用の記憶媒体より読み出された会員コードと前記通信制御手段が認証用の記憶媒体より取得した会員コードとを照合する処理を実行し、会員コードが一致することを条件として遊技用の記憶媒体の精算を実行するようにする。
【００１８】
上記した構成の遊技媒体貸出システムにおいて、精算機の前方の空間は認証用の記憶媒体が内蔵する回路との交信が可能な交信領域になっており、認証用の記憶媒体を所持する遊技者（会員）が、精算を行うに際して、精算機の前にくると、前記交信領域内に存在する認証用の記憶媒体と前記通信手段とが交信し、その交信を介して通信制御手段は会員コードを取得する。
その遊技者が精算を受けるために、精算要求操作を行うと、精算機に受け付けられた遊技用の記憶媒体より会員コードが読み出されるとともに、前記通信制御手段は認証用の記憶媒体より会員コードを取得する。精算機の精算手段は、読み出された会員コードと取得した会員コードとを照合する処理を実行し、会員コードが一致するとき、遊技用の記憶媒体の精算が実行される。
【００１９】
つぎに、認証用の記憶媒体を所持していない一般の遊技者が会員コードを記憶している遊技用の記憶媒体を用いて精算要求操作を行うと、精算機に受け付けられた遊技用の記憶媒体より会員コードが読み出されるものの、前記通信制御手段は認証用の記憶媒体より会員コードを取得できないので、会員コードの照合は不能もしくは不一致となり、この場合は遊技用の記憶媒体の精算は実行されない。
また、認証用の記憶媒体を所持している会員が他の会員の会員コードを記憶している遊技用の記憶媒体を用いて精算要求操作を行った場合は、遊技用の記憶媒体より読み出された会員コードと前記通信制御手段が認証用の記憶媒体より取得した会員コードとは不一致となり、この場合も遊技用の記憶媒体の精算は実行されない。
【００２０】
認証用の記憶媒体を忘れてきた会員が自己の会員コードを記憶している遊技用の記憶媒体を用いて精算要求操作を行うこともあり得る。このことを想定して、受け付けられた遊技用の記憶媒体より読み出された会員コードと一致する会員コードが精算機に設けられたデータ入力手段より入力されたことを条件として、遊技用の記憶媒体の精算を実行するように構成することもできる。
【発明の効果】
【００２１】
この発明によると、会員は遊技や精算を行うに際して、認証用の記憶媒体を受付口に対して挿脱する必要がなく、操作の負担が軽減される。また、遊技終了後に認証用の記憶媒体を抜き忘れたりすることもなく、認証用の記憶媒体が他人に盗まれて悪用されることがない。さらに、認証用の記憶媒体を受付口に対して出し入れする必要がないので、認証用の記憶媒体が損傷したり汚れたりすることがない。また、貸出機の方は、認証用の記憶媒体を受け付ける受付口を設ける必要がないので、構造の簡易化がはかられ、コストの低減を実現できる。
【発明を実施するための最良の形態】
【００２２】
図１は、この発明の一実施例であるパチンコホールにおけるパチンコ玉の貸出システムの概略構成を示している。なお、この発明は、パチンコ機の遊技媒体であるパチンコ玉に限らず、スロットマシンの遊技媒体である遊技用メダルを貸し出すシステムにも適用することができる。
パチンコホール内は複数列の島Ａ，Ｂより成り、各島Ａ，Ｂにそれぞれ複数台のパチンコ機２が背中合わせの状態で整列配置されている。各パチンコ機２の前にはそれぞれ椅子９が固定状態で設置されている。
【００２３】
図示例の玉貸システムは、パチンコホールにおいて、金額価値が付与された遊技用の記憶媒体を介在させてパチンコ玉の貸出処理を行うものであり、パチンコホール内の全てのパチンコ機２にそれぞれ隣接して配備された複数台の玉貸機１と、遊技用の記憶媒体が現に保有する金額価値（残価値）を精算するための精算機３と、発行された遊技用の記憶媒体についての管理を行うための管理装置４とで構成されている。この実施例の各玉貸機１は、玉貸機能と遊技用の記憶媒体の発行機能とを併せ持っているので、遊技用の記憶媒体を発行するための専用の発行機は必ずしも必要でないが、パチンコホールの適所に必要に応じて専用の発行機を配置してもよい。
【００２４】
各玉貸機１は、隣接する特定のパチンコ機２との間で相互に信号のやり取りを行うために、そのパチンコ機２と電気接続されている。また、精算機３は少なくとも１台がパチンコホールの適所に設置されている。なお、玉貸機１の具体的な構成は図２に、精算機３の具体的な構成は図３に、それぞれ示してあり、その詳細は後述する。
各玉貸機１、精算機３、および管理装置４は、双方向性の通信回線１０を介して相互に通信することが可能なように電気接続されている。なお、各玉貸機１は島Ａ，Ｂ毎に配備された中継装置（図示せず）を介して前記通信回線１０に接続されている。
【００２５】
図４は、この実施例の玉貸システムで用いられている遊技用の記憶媒体としてのＩＣスティック５を示している。図示例のＩＣスティック５は、合成樹脂成形体であり、上下に重ねて一体化された分割体５１，５２より成る。上側の分割体５１の上面には両端部に凹部５３，５３が、下側の分割体５２の下面には長さ方向の溝部５４が、それぞれ形成されている。
ＩＣスティック５の内部にはアンテナを含むＩＣチップ５０が収納されている。前記アンテナは、玉貸機１や精算機３の内部の所定位置に配備されたアンテナとの間で微少な電力によって通信が可能となっている。
【００２６】
このＩＣスティック５のＩＣチップ５０には、玉貸機１への投入金額に応じた金額価値分の度数データの他、発行した玉貸機の台番号、ＩＣスティック５の識別番号、発行日付や時刻、必要に応じて発行した店舗など、種々の情報が書き込まれる。また、発行を受ける遊技者が後述する会員である場合には、その会員の会員コードも書き込まれるようになっている。この実施例では、ＩＣスティック５に書き込まれた情報は発行元の玉貸機１に登録されて管理される。
【００２７】
図５は、会員登録をした遊技者（会員）に付与される会員カード６を示している。この会員カード６は、適所にアンテナを含むＩＣチップ６０が埋め込まれており、このＩＣチップ６０に会員毎に付与された個人認証のための会員コード（ＩＤ番号）が記憶させてある。
会員は、パチンコホールにおいて会員としての特典を享受するには会員カード６を所持しておく必要がある。しかし、会員は、遊技や精算に際して、会員カード６を取り出して玉貸機１や精算機３に挿入する必要はない。会員は会員カード６を所持してパチンコ機２の前の椅子９に腰掛けて遊技を行うだけで、会員カード６と玉貸機１との間の交信によって会員カード６に記憶されている会員コードが玉貸機１で取得される。これにより会員の来店がパチンコホール側で把握されることになる。
【００２８】
図１に戻って、各パチンコ機２の正面部分の適所とパチンコ機毎の椅子９とには通信装置７を構成するアンテナ７１，７２がそれぞれ設置されている。前記通信装置７は図示しない送受信回路などを含むもので、後述する図９に示されるように、玉貸機１の制御装置１００に接続されている。各アンテナ７１，７２は指向性を有し、パチンコ機２と椅子９との間、すなわち、パチンコ機２の前方の空間には、前記会員カード６に埋設されたアンテナとの交信が可能な交信領域Ｓが形成される。前記制御装置１００はアンテナ７１，７２から同じ位相の電波を送信して交信領域Ｓを形成する。この交信領域Ｓ内に会員カード６を所持する遊技者がいれば、アンテナ７１，７２と会員カード６のアンテナとの間に回路が形成され、会員カード６のＩＣチップ６０に記憶されている会員コードが制御装置１００によって読み取られる。
【００２９】
前記会員カード６のＩＣチップ６０は、図６に示すように、コイル部６１とダイオード６２と電子回路部６３とを含んでいる。コイル部６１はアンテナとして機能するとともに電源としても機能し、電波を受信して起電力を誘起する。ダイオード６２はコイル部６１の誘起起電力による電流を整流して直流電圧を得る。この直流電圧は電子回路部６３へ与えられ、これにより電子回路部６３が動作する。電子回路部６３に記憶されている会員コードに対応してコイル部６１を含む共振回路のＱ値を変化させ、それをアンテナ７１，７２の側で誘起起電力の変化として検出して前記会員コードを読み取る。
【００３０】
つぎに、図２に示される玉貸機１は、パチンコ機に側面が隣接した状態で配備されるものであり、紙幣ａの投入を受け付けてＩＣスティック５を発行して放出した後、そのＩＣスティック５の挿入を受け付けて隣接する特定のパチンコ機２へパチンコ玉の貸出処理を行う。
なお、この実施例では、パチンコ機２へのパチンコ玉の貸出をデータ送信によって行っているが、この発明はこれに限らず、パチンコ玉を直接外部へ放出する方式にも適用できる。
【００３１】
図示例の玉貸機１は、縦に長く幅の狭い筐体１１を有し、筐体１１の前面に、種々の金種の紙幣ａ（この実施例では、千円札、二千円札、五千円札、一万円札）を縦向きにして受け付けるスリット状の紙幣投入口１２と、矩形状の蓋１３で塞がれた貨幣回収口１４とが設けられている。前記蓋１３は、前方への起伏動作によって開閉するもので、蓋１３の開放によって内部にストックされた紙幣を回収することが可能となる。
【００３２】
筐体１１の内部には、図示していないが、紙幣投入口１２の位置に対応させて紙幣処理部が、紙幣回収口１４の位置に対応させて紙幣収納部が、それぞれ配置されている。前記紙幣処理部は、紙幣投入口１２へ投入された紙幣ａを取り込む紙幣取込機構と、取り込まれた紙幣ａの適否を判別する紙幣識別器８３（図９）と、適正判別された紙幣ａを前記紙幣収納部へ搬送する紙幣搬送機構とを含んでいる。前記紙幣識別器８３によって不適正であると判断された紙幣は紙幣投入口１２へ返却される。なお、上記の紙幣取込機構と紙幣搬送機構とは図９に示す紙幣処理機構部８４を構成している。
【００３３】
前記紙幣回収口１４の下方にはＩＣスティック５を出し入れするための挿排口１５が設けられ、その下方に、情報を表示するための表示器１６と、表示器１６の背後位置に、遠隔制御装置１１０からの解錠操作信号を受光する受光素子８７（図９）とが、それぞれ配置されている。前記受光素子８７が遠隔制御装置１１０からの解錠操作信号を受光すると、外側へ付勢された状態の蓋１３が押し開かれる。
なお、図中、１７は紙幣ａが受付可能かどうかなどを表示するためのランプ、１８は停電時などに鍵を差し込んで蓋１３の開放を行うためのシリンダ錠の鍵挿入孔である。
【００３４】
筐体１１の内部には、前記ＩＣスティック５の挿排口１５の位置に対応して、１Ｃスティック５を保持して情報の読み書きを行うための記憶媒体処理部が配置されている。
この実施例の記憶媒体処理部は、図７に示すように、回転軸８０上に回転自由に支持されるホルダー８を有するもので、このホルダー８の等角度位置（図示例では６０度毎）には、ＩＣスティック５を水平姿勢で保持するための収納部８１が設けられている。ホルダー８は、図示しない間欠送り機構により６０ずつ間欠回転させて前記挿排口１５の位置にいずれかの収納部８１を定位させることが可能であり、また、図示しない繰出機構により前記挿排口１５の位置にあるホルダー８の収納部８１よりＩＣスティック５を挿排口１５へ送り出すことが可能となっている。なお、上記した間欠送り機構と繰出機構とは図９に示すＩＣスティック処理機構部８６を構成している。
【００３５】
前記挿排口１５の位置にあるホルダー８の収納部８１に対応させてリードライター８５のアンテナ８２が配置されており、収納部８１に収納されたＩＣスティック５とリードライター８５とがアンテナ８２を介して情報を送受信することが可能となっている。
【００３６】
玉貸機１は、上記のホルダー８に形成された６個の収納部８１のうち、少なくとも１個の収納部８１に金額価値がゼロのＩＣスティック５が収納され、かつ少なくとも１個の収納部８１にＩＣスティック５が収納されていない空状態で運用される。
【００３７】
なお、上記の実施例では、隣接する一方のパチンコ機へパチンコ玉を貸し出すものであるが、図８に示す実施例のように、隣接する両方のパチンコ機へパチンコ玉を貸し出すような構成であってもよい。
【００３８】
同図の玉貸機１は、前記紙幣回収口１２の下方に、右隣のパチンコ機でパチンコ玉の貸出を受けるために操作される第１の操作部１９ａと、左隣のパチンコ機でパチンコ玉の貸出を受けるために操作される第２の操作部１９ｂとが設けられている。
第１、第２の各操作部１９ａ，１９ｂには、ＩＣスティック５の出し入れを行うためのＩＣスティック５の挿排口１５ａ，１５ｂと、パチンコ機を指定するために紙幣の投入前に押される指定ボタン２０ａ，２０ｂと、隣の遊技者からの視線を遮るための目隠し２１ａ，２１ｂとがそれぞれ設けられている。
【００３９】
筐体１１の内部には、各挿排口１５ａ，１５ｂの位置に対応して、１Ｃスティック５を保持して情報の読み書きを行うための記憶媒体処理部がそれぞれ配置されている。なお、各記憶媒体処理部の構成は図２の実施例と同様であり、ここでは説明を省略する。また、その他の構成も図２の実施例と同様であり、ここでは対応する構成に同じ符号を付することで説明を省略する。
【００４０】
つぎに、図３に示される精算機３は、ＩＣスティック５を受け付け、そのＩＣスティック５が現に保有している金額価値を払い戻すための精算処理を行うものである。
図示例の精算機３は、筐体３１の前面にＩＣスティック５の挿入を受け付ける受付口３２と、精算処理を要求するための精算ボタン３３と、挿入したＩＣスティック５の返却を求めるための返却ボタン３４と、受け付けられたＩＣスティック５の金額価値に応じた金額を紙幣や硬貨によって払い出すための紙幣放出口３５および硬貨放出口３６とが設けられている。
なお、図中、３７は受け付けられたＩＣスティック５を回収するための回収ボックス、３８は受け付けられたＩＣスティック５の金額価値などを表示するための表示器である。
【００４１】
筐体３１の内部には、ＩＣスティック５の受付口３２の位置に対応して、１Ｃスティック５を保持して情報の読み書きを行うための記憶媒体処理部が配置されている。
この記憶媒体処理部は、図示していないが、挿入されたＩＣスティック５を内部へ取り込むための取込機構と、ＩＣスティック５が取り込まれる位置に対応して配置されたリードライター９０（図１０）のアンテナと、ＩＣスティック５を前記回収ボックス３７へ導出するための導出機構とを含んでおり、ＩＣスティック５とリードライター９０とがアンテナを介して情報を送受信することが可能となっている。なお、上記した取込機構と導出機構とは図１０に示したＩＣスティック処理機構部９１を構成している。
【００４２】
また、筐体３１の内部には、図示していないが、紙幣放出口３５の位置に対応させて紙幣処理部が、硬貨放出口３６の位置に対応させて硬貨処理部が、それぞれ配置されている。前記紙幣処理部は複数種の金種の紙幣を精算金額に応じて紙幣処理機構部９２（図１０）により導出させて紙幣放出口３５へ繰り出すものである。また、硬貨処理部は所定の金種（例えば百円）の硬貨を硬貨収納部より精算金額に応じた枚数だけ硬貨処理機構部９３（図１０）により導出させて硬貨放出口３６へ放出するものである。さらに、筐体３１の内部には、通信装置７を構成するアンテナ７３が設けてあり、このアンテナ７３によって精算機３の前方の空間に交信領域を形成している。
【００４３】
図１に示した管理装置４は、コンピュータにより構成され、定期的（例えば１０分毎）に各玉貸機１および精算機３のデータ記憶部（例えばＲＡＭ）をアクセスしてＩＣスティック５の販売状況や利用状況に関わる情報を受信して記憶するとともに、パチンコホール内におけるＩＣスティック５の売上、ＩＣスティック５の利用個数、パチンコ玉の貸出に消費された金額などを集計する。この管理装置４による各種データの集計結果は閉店時などにシステム管理装置へ送られる。システム管理装置は複数のパチンコホールからのデータ送信を受け付けることが可能なサーバー用コンピュータであり、送信を受けた日々のデータを用いて各パチンコホールに対する請求処理のためのデータを集計する。
【００４４】
各玉貸機１においてＩＣスティック５に書き込まれた情報（発行元の玉貸機の台番号、ＩＣスティックの金額価値、識別番号、発行日付や時刻、発行した店舗など）は、そのＩＣスティック５を発行した玉貸機１に登録されて管理される。
各玉貸機１や精算機３がＩＣスティック５を受け付けると、ＩＣスティック５の発行元の玉貸機１との間で交信し、受け付けたＩＣスティック５の情報を照合する。もし、情報が適正であれば、そのＩＣスティック５に対する貸出や精算などの処理が進められ、貸出や精算に応じて登録データが書き換えられる。
なお、この実施例ではＩＣスティック５に関わる情報は発行元の玉貸機１において分散管理しているが、これに限らず、管理装置４において集中管理してもよい。
【００４５】
図９は、上記した玉貸機１の電気的な構成の概略を示している。同図中、１００は制御装置であり、制御の主体であるＣＰＵ１０１とＲＯＭ１０２とＲＡＭ１０３とを含んでいる。制御装置１００にはバス１０４を介してＩ／Ｏインターフェイス回路１０５が接続され、Ｉ／Ｏインターフェイス回路１０５には紙幣識別機８３、紙幣処理機構部８４、リードライター８５、ＩＣスティック処理機構部８６、受光素子８７、表示器１６、貸出スイッチ８８、通信装置７、通信インターフェイス回路１０６，１０７が接続されている。
貸出スイッチ８８はパチンコ機２の側に設けてあり、遊技者がパチンコ玉の貸出を要求するときに押操作される。一方の通信インターフェイス回路１０６は隣接するパチンコ機２との間の各種制御信号を中継する。他方の通信インターフェイス回路１０７は全てのパチンコ機２、精算機３、および管理装置４との間の通信を行うためのものである。
【００４６】
図１０は上記した精算機３の電気的な構成を示している。同図中、１２０は制御装置であり、制御の主体であるＣＰＵ１２１とＲＯＭ１２２とＲＡＭ１２３とを含んでいる。制御装置１２０にはバス１２４を介してＩ／Ｏインターフェイス回路１２５が接続され、Ｉ／Ｏインターフェイス回路１２５にはリードライター９０、ＩＣスティック処理機構部９１、紙幣処理機構部９２、硬貨処理機構部９３、精算ボタン３３、返却ボタン３４、表示器３８、通信装置７、および通信インターフェイス回路１２６が接続されている。通信インターフェイス回路１２６は全てのパチンコ機２、精算機３、および管理装置４と通信を行うためのものである。
なお、図示していないが、前記した遠隔制御装置１１０は、玉貸機１の前で所定の解錠キーを押すと、解錠操作信号が玉貸機１の受光素子８７に向けて送出されるもので、玉貸機１では前記ＣＰＵ１０１がコード照合を行い、それが一致していれば、ロック解除されて蓋１３が押し開かれる。
【００４７】
図１１は、玉貸機１の制御装置１００による制御の流れを示している。図中、「ＳＴ」は「ＳＴＥＰ」の略であり、一連の流れにおける各手順を示している。制御装置１００のＣＰＵ１０１はＲＯＭ１０２に格納されたプログラムに従ってＲＡＭ１０３に対するデータの読み書きを実行しつつ入出力各部の動作を一連に制御するものである。
【００４８】
まず、ＣＰＵ１０１は、同図のＳＴ１，２において、遊技者によるＩＣスティック５の発行要求操作とパチンコ玉の貸出要求操作とに待機している。いま、遊技者が紙幣投入口１２に紙幣ａを投入すると、ＳＴ１の判定が「ＹＥＳ」であり、ＣＰＵ１０１は金額価値がゼロのＩＣスティック５を収納した収納部８１が挿排口１５の位置にくるようにホルダー８を回動させ、アンテナ８２を介して、受け付けた紙幣ａの金額をＩＣスティック５に書き込んで発行する処理を実行する（ＳＴ３）。
一方、遊技者が貸出スイッチ８８を押操作すると、ＳＴ２の判定が「ＹＥＳ」であり、ＣＰＵ１０１は金額価値を有するＩＣスティック５が挿排口１５に存在することを条件として玉貸処理を実行する（ＳＴ４，５）。もし、金額価値を有するＩＣスティック５が挿排口１５に存在していないければＳＴ４の判定が「ＮＯ」であり、原則として玉貸処理は実行されない。
【００４９】
図１２は、図１１のＳＴ３のＩＣスティック発行処理の詳細を示している。
同図のＳＴ３−１では、ＣＰＵ１０１は遊技者が会員カードを所持しているかどうか、すなわち、交信領域Ｓ内に会員カード６が存在するかどうかを通信により判定している。もし、遊技者が会員カード６を所持していれば、ＳＴ３−１の判定が「ＹＥＳ」であり、ＣＰＵ１０１は会員カード６のＩＣチップ６０に記憶されている会員コードを通信により取得する（ＳＴ３−２）。つぎのＳＴ３−３では、ＣＰＵ１０１はＩＣスティック５に金額価値、ＩＣスティック５の識別番号、会員コードなどの所定の情報を書き込み、さらに、それらの情報をＲＡＭ１０３に登録データとして記憶させる（ＳＴ３−４）。
【００５０】
もし、遊技者が会員カード６を所持していなければ、ＳＴ３−１の判定は「ＮＯ」であり、ＣＰＵ１０１はＩＣスティック５に金額価値、ＩＣスティック５の識別番号などの所定の情報（会員コードを含まず）を書き込み（ＳＴ３−６）、さらに、それらの情報をＲＡＭ１０３に登録データとして記憶させる（ＳＴ３−４）。
【００５１】
図１３は、図１１のＳＴ５の玉貸処理の詳細を示している。
同図のＳＴ５−１では、ＣＰＵ１０１はＩＣスティック５の情報を読み取り、その情報の中に会員コードが含まれているかどうかを判断する。もし、会員コードが含まれていれば、ＳＴ５−２の判定が「ＹＥＳ」であり、つぎに、ＣＰＵ１０１は遊技者が会員カードを所持しているかどうか、すなわち、交信領域Ｓ内の会員カード６が存在するかどうかを通信により判定する（ＳＴ５−３）。
【００５２】
もし、遊技者が会員カード６を所持していれば、ＳＴ５−３の判定が「ＹＥＳ」であり、ＣＰＵ１０１は会員カード６のＩＣチップ６０に記憶されている会員コードを通信により取得し（ＳＴ５−４）、読み取った会員コードと通信により取得した会員コードとを照合する（ＳＴ５−５）。その結果、会員コードが一致していれば、ＳＴ５−６の判定が「ＹＥＳ」であり、ＣＰＵ１０１はＩＣスティック５の発行元の玉貸機１と交信して登録データの書換処理を行った後（ＳＴ５−７）、パチンコ機２に対して玉貸要求信号を送出する（ＳＴ５−８）。
【００５３】
もし、ＩＣスティック５より読み取った情報に会員コードが含まれていなければ、ＳＴ５−２の判定が「ＮＯ」であり、ＣＰＵ１０１はＩＣスティック５の発行元の玉貸機１と交信して登録データの書換処理を行った後（ＳＴ５−７）、パチンコ機２に対して玉貸要求信号を送出する（ＳＴ５−８）。
【００５４】
もし、ＩＣスティック５より読み取った情報に会員コードが含まれ、かつ遊技者が会員カードを所持していないときは、ＳＴ５−３の判定が「ＮＯ」であり、ＣＰＵ１０１は表示器１６に玉貸を許可しない旨を表示させて玉貸を禁止する（ＳＴ５−９）。また、ＳＴ５−６において会員コードが不一致であると判定されたときも、ＳＴ５−６の判定が「ＮＯ」であり、同様に玉貸が禁止される（ＳＴ５−９）。
なお、会員が会員カードを紛失した場合や忘れてきた場合には、パチンコホールのカウンタへ行って会員コードを告げるなどして会員であることを証明すれば、ＩＣスティック５より会員コードの記憶データを消去するようにする。
【００５５】
図１４は、精算機３の制御装置１２０による制御の流れを示している。制御装置１２０のＣＰＵ１２１はＲＯＭ１２２に格納されたプログラムに従ってＲＡＭ１２３に対するデータの読み書きを実行しつつ入出力各部の動作を一連に制御するものである。
【００５６】
まず、同図のＳＴ１において、ＣＰＵ１２１は遊技者がＩＣスティック５を受付口３２へ挿入するのに待機している。ＩＣスティック５が受付口３２で受け付けられると、ＳＴ１の判定が「ＹＥＳ」であり、つぎにＣＰＵ１２１は遊技者による精算ボタン３３または返却ボタン３４の押操作に待機する（ＳＴ２，３）。もし、精算ボタン３３が押操作されると、ＳＴ２の判定が「ＹＥＳ」であり、ＣＰＵ１２１は精算処理を実行する（ＳＴ４）。もし、返却ボタン３４が押操作されると、ＳＴ３の判定が「ＹＥＳ」であり、ＣＰＵ１２１は挿入されたＩＣスティック５を受付口３２より返却する。
【００５７】
図１５は、図１４のＳＴ４の精算処理の詳細を示している。
同図のＳＴ４−１では、ＣＰＵ１２１はＩＣスティック５の情報を読み取り、その情報の中に会員コードが含まれているかどうかを判断する。もし、会員コードが含まれていれば、ＳＴ４−２の判定が「ＹＥＳ」であり、つぎに、ＣＰＵ１２１は遊技者が会員カードを所持しているかどうか、すなわち、交信領域Ｓ内の会員カード６が存在するかどうかを通信により判定する（ＳＴ４−３）。
【００５８】
もし、遊技者が会員カード６を所持していれば、ＳＴ４−３の判定が「ＹＥＳ」であり、ＣＰＵ１２１は会員カード６のＩＣチップ６０に記憶されている会員コードを通信により取得し（ＳＴ４−４）、読み取った会員コードと通信により取得した会員コードとを照合する（ＳＴ４−５）。その結果、会員コードが一致していれば、ＳＴ４−６の判定が「ＹＥＳ」であり、ＣＰＵ１２１はＩＣスティック５の発行元の玉貸機１と交信して登録データの書換処理を行った後（ＳＴ４−７）、精算処理を行ってＩＣスティック５の金額価値に応じた金額を紙幣または硬貨によって払い戻す（ＳＴ４−８）。
【００５９】
もし、ＩＣスティック５より読み取った情報に会員コードが含まれていなければ、ＳＴ４−２の判定が「ＮＯ」であり、ＣＰＵ１２１はＩＣスティック５の発行元の玉貸機１と交信して登録データの書換処理を行った後（ＳＴ４−７）、精算処理を行ってＩＣスティック５の金額価値に応じた金額を紙幣または硬貨によって払い戻す（ＳＴ４−８）。
【００６０】
もし、ＩＣスティック５より読み取った情報に会員コードが含まれ、かつ遊技者が会員カードを所持していないときは、ＳＴ４−３の判定が「ＮＯ」であり、ＣＰＵ１２１は表示器３８に精算を許可しない旨を表示させて精算を禁止する（ＳＴ４−９）。また、ＳＴ４−６において会員コードが不一致であると判定されたときも、同様に精算が禁止される（ＳＴ４−９）。
【００６１】
上記した実施例は、会員カード６およびＩＣスティック５が１店舗に限って有効である玉貸システムについての構成であるが、会員カード６およびＩＣスティック５が複数の店舗にわたって有効である玉貸システムについては、図１６に示すように、各店舗の管理装置４から外部サーバ１３０にリアルタイムにデータが集積されるように構成されている。
また、上記した実施例では、ＩＣスティック５を発行元の玉貸機１で管理する分散管理システムが導入されているが、図１６に示す実施例では、ＩＣスティック５を外部サーバ１３０で一括管理する集中管理システムが導入されている。
なお、同図における各店舗の玉貸機１や精算機３は上記した実施例と同様のものであり、ここでは図示並びに説明を省略する。
【００６２】
図１７は、図１６に示した玉貸システムにおける貸出処理の詳細を示すもので、同図のＳＴ５−１において、ＣＰＵ１０１はＩＣスティック５の記憶情報を読み取っている。その記憶情報にはＩＣスティック５を発行した店舗に関わるデータが含まれており、その店舗に関わるデータによってＩＣスティック５が当店で発行されたものであるかどうかを判定する（ＳＴ５−２）。もし、当店発行のものであれば、ＳＴ５−２の判定が「ＹＥＳ」であり、つぎに、読み取った情報の中に会員コードが含まれているかどうかを判断する（ＳＴ５−３）。もし、会員コードが含まれていれば、ＳＴ５−３の判定が「ＹＥＳ」であり、ＣＰＵ１０１は遊技者が会員カードを所持しているかどうか、すなわち、交信領域Ｓ内の会員カード６が存在するかどうかを通信により判定する（ＳＴ５−４）。
【００６３】
もし、遊技者が会員カードを所持していれば、ＳＴ５−４の判定が「ＹＥＳ」であり、ＣＰＵ１０１は会員カード６のＩＣチップ６０に記憶されている会員コードを通信により取得する（ＳＴ５−５）。つぎにＣＰＵ１０１は、読み取った会員コードと通信により取得した会員コードとを照合する（ＳＴ５−６）。その結果、会員コードが一致していれば、ＳＴ５−７の判定が「ＹＥＳ」であり、ＣＰＵ１０１は外部サーバ１３０と交信して登録データの書換処理を行った後（ＳＴ５−８）、パチンコ機２に対して玉貸要求信号を送出する（ＳＴ５−９）。
【００６４】
もし、ＳＴ５−２において、ＩＣスティック５が当店発行のものでないと判定されると、つぎにＣＰＵ１０１は、外部サーバ１３０にＩＣスティック５についての登録データがあるかどうかを確認し（ＳＴ５−１１）、登録データがあれば、ＳＴ５−１２の判定が「ＹＥＳ」であり、ＳＴ５−４へ移行する。
【００６５】
もし、ＳＴ５−３において、ＩＣスティック５より読み取った情報に会員コードが含まれていないと判定されたときは、ＣＰＵ１０１は外部サーバ１３０と交信して登録データの書換処理を行った後（ＳＴ５−８）、パチンコ機２に対して玉貸要求信号を送出する（ＳＴ５−９）。
【００６６】
もし、ＳＴ５−４において、遊技者が会員カードを所持していないと判定されたときは、ＣＰＵ１０１は表示器１６に玉貸を許可しない旨を表示させて玉貸を禁止する（ＳＴ５−１０）。また、ＳＴ５−６において、会員コードが不一致であると判定されたときも、同様に玉貸が禁止される（ＳＴ５−９）。
【００６７】
図１６に示す玉貸システムにおける精算処理の詳細については図示していないが、図１７に示した貸出処理と同様、受け付けたＩＣスティック５が当店発行のものでなければ外部サーバ１３０で登録データの確認を行い、また、精算処理を実行する場合には外部サーバ１３０と交信して登録データの書換処理を実行するもので、その他の制御の流れは図１５に示したものと同様である。。
【図面の簡単な説明】
【００６８】
【図１】この発明の一実施例であるパチンコ玉の貸出システムの概略構成を示す説明図である。
【図２】玉貸機の外観を示す斜視図である。
【図３】精算機の外観を示す斜視図である。
【図４】ＩＣスティックの外観を示す斜視図である。
【図５】会員カードの外観を示す斜視図である。
【図６】会員カードのＩＣチップの構成を示す電気回路図である。
【図７】玉貸機のホルダーの構成を示す正面図である。
【図８】玉貸機の他の実施例を示す斜視図である。
【図９】玉貸機の電気的な構成を示すブロック図である。
【図１０】精算機の電気的な構成を示すブロック図である。
【図１１】玉貸機の制御装置による制御の流れを示すフローチャートである。
【図１２】ＩＣスティックの発行処理の詳細を示すフローチャートである。
【図１３】玉貸処理の詳細を示すフローチャートである。
【図１４】精算機の制御装置による制御の流れを示すフローチャートである。
【図１５】精算処理の詳細を示すフローチャートである。
【図１６】他の実施例にかかるパチンコ玉貸出システムの概略構成を示す説明図である。
【図１７】図１６の実施例における玉貸機の制御装置による玉貸処理の制御の流れを示すフローチャートである。
【符号の説明】
【００６９】
１    玉貸機
２    パチンコ機
３    精算機
５    ＩＣスティック
６    会員カード
７    通信装置
６１  コイル部
７１，７２  アンテナ
１００，１２０  制御装置
１０１，１２１  ＣＰＵ
１０２，１２２  ＲＯＭ
１０３，１２３  ＲＡＭ
【図１】
2008018033.tif 000003
【図２】
2008018033.tif 000004
【図３】
2008018033.tif 000005
【図４】
2008018033.tif 000006
【図５】
2008018033.tif 000007
【図６】
2008018033.tif 000008
【図７】
2008018033.tif 000009
【図８】
2008018033.tif 000010
【図９】
2008018033.tif 000011
【図１０】
2008018033.tif 000012
【図１１】
2008018033.tif 000013
【図１２】
2008018033.tif 000014
【図１３】
2008018033.tif 000015
【図１４】
2008018033.tif 000016
【図１５】
2008018033.tif 000017
【図１６】
2008018033.tif 000018
【図１７】
2008018033.tif 000019